(57)【要約】【課題】連続洗浄性の向上を図り、タンクの小型化をより推し進めながらも、オーバーフロー時にタンク内の水を適切に大便器本体に排出すること。【解決手段】水洗大便器装置は、一端側に吸引口が形成された管であって、吸引口から内部に流入した水が導水路に供給されるように配置されたスロート管３２０と、吸引口からスロート管３２０の内部に向けてジェット水を噴射することにより、ジェットポンプ作用を誘発させるノズル３１０と、ジェット水の進行方向を、スロート管３２０の内部から外部へと切り替えることでタンク内に水を貯留させる進行方向切替手段３５０と、を有し、タンク内には、止水位置が定められており、止水位置よりも上方において止水位置よりも上方のタンク内の水を流入させる開口が設けられたオーバーフロー管を有し、オーバーフロー管は、スロート管に接続されている。【選択図】図７
2015232271.tif 000002
【特許請求の範囲】
【請求項１】
洗浄水によって汚物を排水管に排出する水洗大便器装置であって、
汚物を受け止めるボウル部と、洗浄水として供給される水を前記ボウル部に導くための導水路と、を有する大便器本体と、
前記導水路に供給される水を内部に貯留するタンクと、
前記タンクの内部において少なくとも一部が水没した状態で配置されたジェットポンプユニットと、を備え、
前記ジェットポンプユニットは、
一端側に吸引口が形成された管であって、前記吸引口から内部に流入した水が前記導水路に供給されるように配置されたスロート管と、
前記吸引口から前記スロート管の内部に向けてジェット水を噴射することにより、ジェットポンプ作用を誘発させるノズルと、
前記タンク内の水位が所定の水位を超えると前記所定の水位よりも上方の前記タンク内の水を流入させる開口が設けられ、この開口から流入した前記タンク内の水を前記導水路へ流出させるオーバーフロー管と、
前記ジェットポンプ作用によって前記スロート管から前記導水路に水が供給されるときに前記開口から前記タンク内へ流出した水によって前記タンク内の水面が波立つことを抑制する波立抑制手段と、を有することを特徴とする水洗大便器装置。
【発明の詳細な説明】
【技術分野】
【０００１】
本発明は、洗浄水によって大便器本体を洗浄する水洗大便器装置に関する。
【背景技術】
【０００２】
従来、大便器本体に洗浄水を供給するための機構として、ジェットポンプ式の給水機構を有する水洗大便器装置がある。
【０００３】
このジェットポンプ式の給水機構は、水を貯留したタンクを備えており、当該タンクの内部に、ジェットポンプユニットが水没した状態で配置されている。ジェットポンプユニットはスロート管を有しており、当該スロート管の一端は大便器本体のボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。噴射ノズルから噴射された水のみならず、タンク内に貯留されていた水も引き込まれてスロート管の内部を流れるため、大便器本体には大流量の洗浄水が供給される。
【０００４】
ここで、ジェットポンプ式の給水機構においては、洗浄水として大便器本体に供給する水の全てをタンク内に貯留しておく必要がない。このため、タンク式の給水機構に比べてタンクを小型化することができる上、タンクを満水位にするために必要な時間を短くすることができるという利点がある。また、フラッシュバルブ式の給水機構に比べて給水配管内の水圧が比較的低い環境に水洗大便器装置が設置された場合であっても、大流量の洗浄水を大便器本体に供給することができる。更に、給水配管を大口径とするような大掛かりな工事を必要としないという利点もある。
【０００５】
また、ジェットポンプ式の給水機構においては、タンクを満水位にするための時間が短いので、連続して大便器本体を洗浄するための連続洗浄性を向上させることができる。この連続洗浄性をさらに向上させるため、ジェット水流の流路を切り替えて大便器給水やタンク貯水を行う技術がある。
【０００６】
例えば、ジェット水流を切り替える技術として、流れ転換器を用いて、リザーバが満たされているときにはジェットノズルから流体導管の入口内へ、または、リザーバが空の場合に、ジェットノズルから流体導管の入口を離れてリザーバ内へと、流れを方向転換する技術が開示されている（下記特許文献１参照）。
【０００７】
また、ジェット水流を切り替える他の技術として、水位に応じてスロートの入口を離れたり、スロートの入口にとどまったりするボール案内管内のボールや、排出管を閉鎖したり開放したりする向きに力を及ぼすような空気袋と連結した構造である開閉膜や、スロート管の一部を管折れさせる構造を用いて、水位に応じて給水を貯水槽とリム側に転換する技術が開示されている（下記特許文献２参照）。
【先行技術文献】
【特許文献】
【０００８】
【特許文献１】特開２０１２−５２８９６０号公報
【特許文献２】特許４７１３５７５号公報
【発明の概要】
【発明が解決しようとする課題】
【０００９】
しかしながら、上記特許文献２の技術では、タンク貯水時において、ノズルから噴射される水（ジェット水）の一部が大便器本体に排出されるため、ジェット水を全てタンクに供給する場合と比べてタンク貯水時間が長くなり、連続洗浄性の観点から好ましくない。
【００１０】
また、上記特許文献１の技術では、タンク貯水時において、ジェット水の全てをタンクに供給するため、スロート管の入口を完全に遮蔽する構成となっているが、ジェット水の止水機構が故障し、ジェット水が止まらなくなった場合に、タンク内の水位が上昇し、タンク外に水が溢れる（漏水する）恐れがある。
【００１１】
したがって、タンク貯水時間を短くするために、ジェット水のほぼ全てをタンクに供給し、ジェット水の止水機構が故障した場合でも、タンクの水位が上昇し、漏水が発生することを防止する構造が求められている。
【００１２】
一方で、タンクをさらに小型化するために、タンクの高さを低くすることが考えられる。タンクの高さを低くする場合、タンク内の水頭圧が低くなるため、タンク内の通常の満水位を越えて水位が上昇するオーバーフロー時に、タンク内の水を便器に排出しようとしても、排出される水量が少なくなる。
【００１３】
また、連続洗浄性をさらに向上させるため、ジェット水の流量を多くし、タンク貯水時間を短くしたいという要望がある。しかしながら、ジェット水の流量を多くした場合、タンク内の水位の上昇が早くなるため、タンクの小型化によりタンク内の水頭圧が低くなっている状態では、ジェット水の流量を増加させたことにより増える水量よりも、大便器本体に排出される水量を多くすることは困難である。
【００１４】
また、ジェットポンプ式のスロート管は、ジェット水が止まらなくなった場合におけるオーバーフロー管の役割を担う場合がある。しかしながら、上記のとおり、タンクをさらに小型化する場合、タンク内のスペースの関係により、排出される水量を増やすためにスロート管を大きくすることは難しい。また、スロート管の内部から排出する水量を多くするためには、スロート管を大きくしなければならないが、スロート管の径を大きくしてしまうと大便器本体にタンク内の水およびジェット水を供給する際にジェットポンプ作用が低下してしまい便器の洗浄性能が低下してしまう。ジェットポンプ性能と引き換えにオーバーフロー性能を上げることとなり好ましくない。
【００１５】
以上をまとめると、連続洗浄性を向上させながらも、タンクのさらなる小型化を図る際に、上述した全ての問題を解決することが困難であるという新たな課題が生じることが判った。具体的には、連続洗浄性を向上させるため、タンク貯水時にはジェット水のほぼ全てをタンクに供給したり、又はジェット水の流量を増加させたりし、タンクのさらなる小型化を図るため、スロート管の大きさを大きくせずに、タンクの高さを低くする。この場合、上述したとおり、オーバーフロー時に大便器本体に排出される水量が少なくなり、タンク内の水を適切に大便器本体に排出することができず、漏水の恐れがあるという新たな課題が生じることが判った。
【００１６】
本発明はこのような課題に鑑みてなされたものであり、その目的は、ジェット水量を増やしたり、又はジェット水のほぼ全てをタンクに供給したりすることで連続洗浄性の向上を図り、タンクの高さを低くすることでタンクの小型化をより推し進めながらも、オーバーフロー時にタンク内の水を適切に大便器本体に排出することができる水洗大便器装置を提供することにある。
【課題を解決するための手段】
【００１７】
上記課題を解決するために、本発明に係る水洗大便器装置は、洗浄水によって汚物を排水管に排出する水洗大便器装置であって、汚物を受け止めるボウル部と、洗浄水として供給される水を前記ボウル部に導くための導水路と、を有する大便器本体と、前記導水路に供給される水を内部に貯留するタンクと、前記タンクの内部において少なくとも一部が水没した状態で配置されたジェットポンプユニットと、を備え、前記ジェットポンプユニットは、一端側に吸引口が形成された管であって、前記吸引口から内部に流入した水が前記導水路に供給されるように配置されたスロート管と、前記吸引口から前記スロート管の内部に向けてジェット水を噴射することにより、ジェットポンプ作用を誘発させるノズルと、前記タンク内の水位が所定の水位を超えると前記所定の水位よりも上方の前記タンク内の水を流入させる開口が設けられ、この開口から流入した前記タンク内の水を前記導水路へ流出させるオーバーフロー管と、前記ジェットポンプ作用によって前記スロート管から前記導水路に水が供給されるときに前記開口から前記タンク内へ流出した水によって前記タンク内の水面が波立つことを抑制する波立抑制手段と、を有することを特徴とする。
【発明の効果】
【００１８】
本発明の水洗大便器装置によれば、連続洗浄性の向上を図り、タンクの小型化をより推し進めながらも、オーバーフロー時にタンク内の水を適切に大便器本体に排出することができる。
【図面の簡単な説明】
【００１９】
【図１】本発明の第一実施形態に係る水洗大便器装置を示す断面図である。
【図２】図１に示した水洗大便器装置の上面図である。
【図３】図１に示した水洗大便器装置のタンクの内部を示す図である。
【図４】ジェットポンプユニットの構成及び動作について説明するための図である。
【図５】タンク２０の内部における構成を模式的に示す図である。
【図６】図１に示した水洗大便器装置の、洗浄時における動作の流れを説明するため    のフローチャートである。
【図７】第一実施形態のタンク給水時における、タンクの水位が止水位の時のタンク    内の様子を模式的に示す図である。
【図８】第一実施形態のタンク給水時における、タンクの水位が止水位を超えた時の    タンク内の様子を模式的に示す図である。
【図９】第一実施形態における、便器給水時の動作が開始されてからの時間経過に伴    うタンク内の水位の変化を示すグラフである。
【図１０】第二実施形態のタンク給水時における、タンクの水位が止水位を超えた時    のタンク内の様子を模式的に示す図である。
【図１１】第二実施形態における、便器給水時の動作が開始されてからの時間経過に    伴うタンク内の水位の変化を示すグラフである。
【図１２】サイホン現象によりタンク内の水が大量に大便器本体に排出されることを    説明するための図である。
【図１３】第三実施形態における、スロート管内の負圧部及び正圧部の位置、オーバ    ーフロー管の接続位置を説明するための図である。
【図１４】第四実施形態における流入防止弁の一例を示す図である。
【発明を実施するための形態】
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
＜第一実施形態＞
本発明の第一実施形態に係る水洗大便器装置について、図１及び図２を参照しながら説明する。図１は、水洗大便器装置ＦＴの断面図であって、水洗大便器装置ＦＴをその左右方向に垂直な面で切断した場合の断面を示している。図２は、水洗大便器装置ＦＴの上面図である。図２では、後に説明するタンク２０の内部構造を示すため、タンク２０の上蓋２０１を取り外した状態を描いている。
【００２２】
図１及び図２に示したように、水洗大便器装置ＦＴは、大便器本体１０と、大便器本体１０の後方側（図１では右側、図２では上側）において大便器本体１０の上面１０１に設置されたタンク２０とを備える。水洗大便器装置ＦＴは、大便器本体１０によって汚物を受け止めて、当該汚物を、タンク２０から供給される水（洗浄水）によって、排水管ＳＷに排出する装置である。
【００２３】
なお、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称する。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称する。
【００２４】
大便器本体１０は、ボウル部１１０と、リム部１２０と、導水路１３０と、排水トラップ管路１４０とを有する。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００２５】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００２６】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００２７】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００２８】
吐水部１３３から水が噴出する方向は、略円形の流路として形成されたリム部１２０の円周に沿う方向であり、且つ上面視において反時計回りの方向となる。吐水部１３５から水が噴出する方向も、略円形の流路として形成されたリム部１２０の円周に沿う方向であり、且つ上面視において反時計回りの方向となる。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００２９】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有する。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００３０】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００３１】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００３２】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００３３】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００３４】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００３５】
また、後述するスロート管には、オーバーフロー管２５０が接続されている。オーバーフロー管２５０は、第一実施形態における水洗大便器装置ＦＴにおいて、後述するタンク内の止水機構が故障した場合に、タンク内の水がタンク外に溢れ出ることを防止するために設けられている。
【００３６】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００３７】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００３８】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００３９】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００４０】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。なお、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００４１】
主弁２３３にはパイロット弁２３４が備えられており、パイロット弁２３４の動作によって主弁２３３の開閉が切り替えられる構成となっている。パイロット弁２３４には、タンク２０の外側に配置された操作レバー２３６が、タンク２０の内部に配置された伝達機構２３７を介して接続されている。また、パイロット弁２３４には、タンク２０の内部に配置されたフロート２３８が更に接続されている。
【００４２】
水洗大便器装置ＦＴの使用者によって操作レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００４３】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００４４】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００４５】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００４６】
ノズル３１０は、一端が接続管３３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は、接続管２３９を流れてノズル３１０に到達し、噴射口３１１から高速の水流として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００４７】
スロート管３２０は、断面が円形の管であって、底壁２１１に形成された開口２１２を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００４８】
また、スロート管３２０は、上述した形状により、タンク貯水時に、タンク２０の水が止水位置を超えて異常水位となると、サイホン現象が発生するように構成されている。また、図２に示す例では、スロート管３２０には、前方側にオーバーフロー管２５０が接続されている。
【００４９】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有する。
【００５０】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように（水平面と平行になるように）形成されている。
【００５１】
下降部３２４は、その管径が全体において均一な円筒形状の管であって、鉛直方向に沿って配置されている。下降部３２４の管径は、上昇部３２２の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００５２】
上昇部３２２のうち、その流路方向に沿って略中央となる位置には、空気導入管３３０が接続されている。空気導入管３３０は、鉛直方向に沿って配置された円筒形状の管である。空気導入管３３０の下端は、上昇部３２２の上面側に接続されており、空気導入管３３０の内部空間と上昇部３２２の内部空間とが連通している。空気導入管３３０の上端には導入口３３１が開口形成されており、導入口３３１から流入した空気又は水が、空気導入管３３０を通って上昇部３２２の内部空間に流入し得る構成となっている。導入口３３１の位置（高さ）は、タンク２０の水位が満水位であるときには水没するような位置となっている。また、吸引口３２１よりも高い位置となっている。
【００５３】
図４を参照しながら、ジェットポンプユニット３００の構成及び動作について更に説明する。図４（Ａ）は、タンク２０内の水位が吸引口３２１よりも高い（例えば満水位）ときにおいてノズル３１０からジェット水が噴射され、これによりジェットポンプ作用が誘発されている状態を模式的に示したものである。
【００５４】
主弁２３３が開かれて、ノズル３１０の噴射口３１１からジェット水が噴射されると、当該ジェット水が上昇部３２２の内部に向かって流れる。上昇部３２２のうち下側の部分及びノズル３１０は、タンク２０内に貯留されている水の内部に水没している。このため、タンク２０内に貯留されている水は、噴射口３１１から噴射されたジェット水によって上昇部３２２の内部に引き込まれて、導水路１３０に向かって流れる。このようなジェットポンプ作用が誘発される結果、スロート管３２０の内部では、ノズル３１０の噴射口３１１から噴射されたジェット水だけでなく、吸引口３２１の周囲から引き込まれた水も流れる。これらが導水路１３０を流れて、洗浄水として吐水部１３３、１３５からリム部１２０に供給される。
【００５５】
このように、水洗大便器装置ＦＴにおいては、ノズル３１０の噴射口３１１から噴射されるジェット水の流量よりも、リム部１２０に供給される水の流量の方が多くなっている。換言すれば、ノズル３１０の噴射口３１１から噴射されるジェット水の流量が少なくても、洗浄水として十分な流量の水がリム部１２０に供給される。このため、水道管の水圧が低い環境に水洗大便器装置ＦＴが設置された場合であっても、十分な洗浄性能を発揮することができる。
【００５６】
また、洗浄水としてリム部１２０（及びボウル部１１０）に供給される水の総量は、タンク２０の内部に予め貯留されていた水の量に、ノズル３１０の噴射口３１１から噴射されたジェット水の量を加えたものとなる。全ての洗浄水をタンク２０の内部に貯留しておく必要がないため、タンク２０は小型化されており、そのデザイン性が向上している。
【００５７】
ところで、タンク２０に貯留されている水のうち、吸引口３２１よりも下の部分に存在する水は、吸引口３２１からスロート管３２０の内部に供給されない。その結果、タンク２０の内部に残水として残ってしまう。しかし、図３等に示したように、ノズル３１０及び吸引口３２１はいずれも（狭い）第二タンク部２２０の内部に配置されている。このため、吸引口３２１よりも下の部分で残ってしまう残水の量は、比較的少なくなっている。
【００５８】
このような構成により、水洗大便器装置ＦＴでは、リム部１２０対する水の供給が終了した時点における残水の量を少なくしている。その結果、タンク２０の内部空間のうち殆どの部分を、リム部１２０対して供給される水（残水とならない水）を貯留するための空間として利用することが可能となっており、タンク２０の大型化が抑制されている。
【００５９】
上昇部３２２の下端近傍、すなわち吸引口３２１の近傍には、進行方向切替手段３５０が取り付けられている。進行方向切替手段３５０は棒状の部材であって、その長手方向に沿った一端にはフロート３５１を有しており、他端には遮蔽部３５２を有している。なお、進行方向切替手段３５０は、先に参照した図３等においては図示を省略していたものである。
【００６０】
進行方向切替手段３５０は、フロート３５１と遮蔽部３５２との間の部分が、上昇部３２２の下端近傍に対して回転自在な状態で取り付けられている。図４（Ａ）に示したように、タンク２０内の水位が吸引口３２１よりも高いときにおいては、フロート３５１に加わる浮力によって進行方向切替手段３５０が回転する。具体的には、フロート３５１が上方に移動し、遮蔽部３５２が下方に移動して、それぞれ図４（Ａ）に示した位置で停止する。
【００６１】
図４（Ａ）の状態においては、ノズル３１０から噴射されたジェット水は、遮蔽部３５２には直接当たることなく上昇部の内部に流入する。その結果、既に説明したようなジェットポンプ作用が誘発され、洗浄水としての水がリム部１２０に供給される。
【００６２】
その後、タンク２０内の水がリム部１２０に供給されることにより、タンク２０内の水位は次第に低下していく。
【００６３】
図４（Ｂ）は、タンク２０内の水位が吸引口３２１の近傍まで低下し、リム部１２０への水の供給が停止した状態を模式的に示したものである。タンク２０内の水位が吸引口３２１の近傍まで低下すると、フロート３５１に加わる浮力は小さくなる。このため、図４（Ｂ）に示したように、フロート３５１が下方に移動するように進行方向切替手段３５０が回転する。遮蔽部３５２は上方に移動して、ノズル３１０から噴射されたジェット水の全てが遮蔽部３５２に直接当たるようになる。
【００６４】
遮蔽部３５２のうち噴射口３１１に対向する面は、凹状に湾曲した形状となっている。また、この遮蔽部３５２の面は、噴射口３１１全体と対向しており、全てのジェット水の進行方向が切替えられる配置となっている。ノズル３１０から噴射されたジェット水が遮蔽部３５２の面に当たると、ジェット水は当該面に沿って流れて、その進行方向を略９０度変化させる。その結果、ノズル３１０から噴射されたジェット水は上昇部３２２の内部には流入せず、次回の洗浄のための水としてタンク２０に給水される。このように、進行方向切替手段３５０は、ノズル３１０から噴射されたジェット水の供給先を、大便器本体１０からタンク２０へと切り替えるためのものである。
【００６５】
以下、進行方向切替手段３５０により、ノズル３１０から噴射されたジェット水をタンク２０内へ供給する時（最中）を「タンク給水時」又は「タンク貯水時」と称す。また、タンク給水時において、ノズル３１０がジェット水の噴射を終了すべき予め定められたタンク２０内の水位を、「止水位」と称す。ジェット水の噴射が止水位で確実に止まると、タンク内の水位は、「満水位」となる。したがって、「止水位」と「満水位」は実質的に同義である。また、タンク内の止水位を上方に超えた異常の水位を「異常水位」と称す。
【００６６】
ここで、進行方向切替手段３５０は、タンク給水時において、タンク２０内の水が止水位となるまではジェット水がスロート管３２０から排出されることを抑制するよう構成されている。このような構成は、遮蔽部３５２とフロート３５１等の形状及び配置の調整により実現でき、特に限定されない。例えば、上記構成として遮蔽部３５２にのみ着目すると、上述したように遮蔽部３５２のうち噴射口３１１に対向する面が凹状に湾曲した形状となっていること、遮蔽部３５２が噴射口３１１全体と対向していること、又は遮蔽部３５２が噴射されるほぼ全てのジェット水の進行方向を、排出方向の上成分（例えば斜め右上の上成分）を含まない方向（例えば斜め右下）に切替えられる配置となっていること、等が挙げられる。
【００６７】
一方で、進行方向切替手段３５０は、タンク給水時において、タンク２０内の水が止水位を超えるとスロート管３２０の内部に流入することを許容するよう、吸引口３２１（第一実施形態では特にスロート管３２０の内壁面）との間にタンク水流入空間３５４を形成するよう構成されている。このような構成は、特に限定されないが、例えば遮蔽部３５２のサイズと配置の調整により実現できる。より具体的には、例えば遮蔽部３５２を、吸引口３２１よりも小さくし、且つ、切替え先のジェット水の進行方向｛図４（Ｂ）矢印参照｝とは逆方向に位置するスロート管３２０の内壁面から離して配置する。
【００６８】
図５は、タンク２０の内部における構成を模式的に示す図である。上述したように、タンク２０の内部には、給水管２３１と、主弁２３３と、ジェットポンプユニット３００とが配置されている。
【００６９】
ボウル部１１０の洗浄が行われていない状態（待機状態）においては、タンク２０の水位は満水位となっている。水洗大便器装置ＦＴの使用者によって操作レバー２３６が操作されると、既に説明したように主弁２３３が開かれた状態となり、ノズル３１０の噴射口３１１から水が噴射される（図５の矢印ＡＲ１）。タンク２０の内部に貯留されていた水は、スロート管３２０の内部に引き込まれて（図５の矢印ＡＲ２）、洗浄水としてリム部１２０に供給される（図５の矢印ＡＲ３）。
【００７０】
リム部１２０への水の供給が終了すると、ノズル３１０からの水の供給先が進行方向切替手段３５０によって切り替えられて、タンク２０への注水が開始される（図５の矢印ＡＲ４）。タンク２０内の水位は次第に上昇して行き、満水位となった時点でフロート２３８によりパイロット弁２３４が閉じられる。これと同時に主弁２３３が閉じられることによりタンク２０への注水が終了し、待機状態に戻る。
【００７１】
タンク２０の内部におけるその他の構成について、再び図３を参照しながら説明する。図３に示したように、タンク２０の内部にはスロート管３２０の下降部３２４を囲むような隔壁２４０が配置されている。隔壁２４０は、底壁２１１から上方に向かって伸びるように形成されている。隔壁２４０、タンク２０の前側壁面２１３、左側壁面２１４、及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ左側の隅に配置されている。スロート管３２０は、下降部３２４の下端部分が小タンク２６０の内側に配置されている。また、吸引口３２１が小タンク２６０の外側に配置されている。
【００７２】
隔壁２４０のうち下端部近傍には開閉窓２４１が設けられている。開閉窓２４１は通常は開かれた状態となっており、開閉窓２４１を通じて小タンク２６０の内部と外部（隔壁２４０よりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【００７３】
操作レバー２３６は、二つの方向（大方向、小方向）に操作することが可能である。操作レバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３２１に到達する。このため、タンク２０の内部に貯留されていた水は、小タンク２６０に貯留されていた分を含む殆どが、スロート管３２０の内部に引き込まれてリム部１２０に供給される。
【００７４】
一方、操作レバー２３６が、小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。
【００７５】
なお、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３２１が配置されている方の空間に貯留されている水の水位を示すものとする。小タンク２６０に貯留されている水の水位については、以下の説明では考慮しない。
【００７６】
続いて、リム部１２０へ洗浄水として供給される水の流量（吐水部１３３、１３５に供給される水の流量といってもよい）について、図６を参照しながら説明する。図６は、水洗大便器装置ＦＴの、洗浄時における動作の流れを説明するためのフローチャートである。
【００７７】
まず、水洗大便器装置ＦＴの使用者によって操作レバー２３６が操作されると（ステップＳ０１）、ノズル３１０から水が噴射され、既に説明したようにジェットポンプ作用によってリム部１２０に水が供給される（ステップＳ０２）。
【００７８】
ノズル３１０からの水の噴射が開始されてから、タンク２０内の水位が低下して、噴射された水の進行方向が進行方向切替手段３５０により切り替えられるときの位置（このときの水位を、以下では「第一水位」とも称する）となるまでの期間においては、サイホン効果によって大流量の水がリム部１２０に供給される（ステップＳ０３）。
【００７９】
タンク内の水位が第一水位まで低下すると、継続して噴射されているノズル３１０からの水により、タンク２０内への貯水が行われる（ステップＳ０４）。タンク２０内の水位が上昇して、満水位となると、ノズル３１０からの水の噴射が停止され、タンク２０内への水の貯水が停止される（ステップＳ０５、Ｓ０６）。
【００８０】
なお、ボウル部１１０の洗浄が行われた後において、封水ＷＴを形成するための水（リフィル水）をジェットポンプユニット３００からリム部１２０に追加供給する構成としてもよい。このようなリフィル水の供給は、タンク２０内への水の貯水が停止した時点（ステップＳ０５の直後）のタイミングにおいて、開始することが望ましい。
【００８１】
図７は、第一実施形態のタンク給水時における、タンク２０の水位が止水位４０４の時のタンク２０内の様子を模式的に示す図である。図７に示すように、進行方向切替手段３５０の遮蔽部３５２は、ノズル３１０の噴射口３１１を覆う位置にあり、ノズル３１０から噴射されたジェット水は、スロート管３２０の内部ではなく外部に向かう。なお、図７に示す例では、タンク２０内の水位と止水位４０４とが同じ位置にある例を示す。また、オーバーフロー管２５０の開口は、止水位４０４よりも上方にある。通常、タンク給水時には、タンク２０内の水位が止水位４０４になると、上述したように、フロート２３８によりパイロット弁２３４が閉じられ、ノズル３１０から噴射されるジェット水が止まる。
【００８２】
図８は、第一実施形態のタンク給水時における、タンク２０の水位が止水位４０４を超えた時のタンク２０内の様子を模式的に示す図である。図８に示すように、タンク２０内の水位４００が止水位４０４を超えて、さらに、オーバーフロー管２５０の開口を超えると、オーバーフロー管２５０の開口からタンク２０内の水が流入する。止水位４０４を超えたときに、大便器本体１０に排出される水をオーバーフロー水と称す。
【００８３】
図８に示すように、止水位４０４を超えたタンク内の水は、オーバーフロー管２５０の開口から流入し、導水路１３０を通ってボウル部１１０に排出されるので、タンク２０内の水位の上昇を防ぎ、漏水を防ぐことができる。
【００８４】
図９は、第一実施形態における、便器給水時の動作が開始されてからの時間経過に伴うタンク２０内の水位の変化を示すグラフである。まず、水洗大便器装置ＦＴの使用者によって手動レバー２３６が操作されると、ノズル３１０からジェット水が噴射され、上述したようにジェットポンプ作用によって大便器本体１０に水が供給される。このように大便器本体１０に水を供給する便器給水時においては、図９に示すように、タンク２０内の水位４００が時間の経過とともに、止水位（満水位）４０４から第一水位４０２まで例えば直線的に低下し続ける。
【００８５】
次に、上述したようにノズル３１０から継続して噴射されるジェット水の進行方向がスロート管３２０の外部へと切り替わり、タンク２０内への水の供給（給水）が行われる。このようにタンク２０内に水を供給するタンク給水時においては、図９に示すように、タンク２０内の水位４００が時間の経過とともに、第一水位４０２から止水位４０４まで例えば直線的に上昇し続ける。そして、通常の場合、タンク２０内の水位４００が止水位４０４に達すると、ノズル３１０からのジェット水の噴射が停止され、タンク２０内への水の供給が停止される。
【００８６】
このようなタンク給水時において、進行方向切替手段３５０は、タンク２０内の水位４００が止水位４０４となるまではジェット水がスロート管３２０の外部へ向かうよう構成される。よって、タンク給水時に、ジェット水の一部がスロート管３２０内に供給される場合に比べて、ジェット水のほぼ全てをタンク２０内へ供給する方が、タンク２０内へ水を供給する供給時間ｔ１（図９参照）を短くでき、連続洗浄性を向上させることができる。
【００８７】
なお、ジェット水の噴射が停止されると、大便器本体１０に水が排出されない限り、タンク２０内の水位４００は時間が経過しても、正常時であれば止水位４０４のまま変化しない。しかしながら、図９では以下の異常時を想定しているため、正常時の変化しない水位は記載していない。
【００８８】
ここで、異常時とは、ノズル３１０のジェット水を止水する止水機構（例えばフロート２３８、パイロット弁２３４及び主弁２３３の少なくとも１つ）が故障して、タンク２０内の水位４００が止水位４０４を超えてもジェット水が噴射され続ける状態を言う。
【００８９】
この異常時において、仮にスロート管３２０の吸引口３２１が完全に遮蔽されていると、ジェット水をスロート管３２０から導水路１３０へ排出することができない。この結果、図９の点線（４００Ａ）で示すようにタンク２０内の水位４００が上昇し続けて溢れ水位４０８に達し、タンク２０内の水がタンク２０外に溢れ出てしまう。
【００９０】
そこで、第一実施形態における水洗大便器装ＦＴでは、スロート管３２０にオーバーフロー管２５０を接続し、止水位４０４よりも上方にオーバーフロー管２５０の開口を設けることにより、例えば図９に示すオーバーフロー水位４０６（Ｘ点）において、オーバーフロー管２５０からタンク内の水を流入させることができ、タンク内の水位の上昇を抑制することができる。
【００９１】
図９に示す例では、Ｘ点において、タンク内の水位の上昇の傾きが小さくなるが、この例に限られず、タンク内の水位がオーバーフロー水位４０６より上昇しないようにしたりしてもよい。また、図９に示す例では、タンク内の水位が溢れ水位まで上昇しないようにするため、後述するように、スロート管３２０からもオーバーフロー水を、導水路１３０を通じてボウル部１１０に排出するようにしてもよい。
【００９２】
以上、第一実施形態における水洗大便器装置ＦＴによれば、連続洗浄性を向上させるとともに、止水機構の故障時などに、タンク２０内の水がタンク２０外に溢れ出ることを防止することができる。
【００９３】
具体的には、第一実施形態における水洗大便器装置ＦＴは、タンク貯水時に、ジェット水の進行方向をスロート管３２０の外部に切り替えることでタンク内に水を貯水させることにより、ジェット水のほぼ全てをタンク貯水に用いることができ、タンク貯水時にジェット水の一部を大便器本体１０に排出するよりも、タンク貯水時間を短縮することができる。
【００９４】
また、オーバーフロー管２５０の開口が、ジェット水を止めるための基準となるタンク２０内の止水位置よりも上方に設けることにより、ジェット水を止める止水機構が故障し、タンク２０内の水位が止水位置を越えて異常水位となった場合でも、オーバーフロー管２５０からタンク２０内の水を大便器本体１０に排出することができ、タンク２０内の水が上昇し続けることによる漏水を防ぐことができる。
【００９５】
一方、タンク２０を小型化し、タンク２０の高さが低くなる場合では、タンク２０内の水頭圧が低くなり、タンク２０内から排出される水量が小さくなる。また、連続洗浄性をさらに向上させるため、ジェット水の水量を増加させた場合、タンク２０内の水位の上昇が早くなり、タンク２０内の水がタンク２０外に漏水する恐れがある。これに対し、オーバーフロー管２５０を設けることにより、ジェット水の水量を増加させ、タンク２０内の水頭圧が低い状態であっても、タンク２０内の水をオーバーフロー管２５０により適切に大便器本体に排出することができるため、タンク２０内の水位の上昇を抑え、漏水を防ぐことができる。
【００９６】
また、スロート管３２０にオーバーフロー管２５０を設けることにより、オーバーフロー時に備え、タンク２０内にオーバーフロー専用の孔を別途設ける必要がない。これにより、ジェットポンプ式の大便器装置において、オーバーフロー専用の孔を有するジェットポンプ式の専用タンクを製造する必要がなく、コストを抑えることができる。
【００９７】
＜第二実施形態＞
次に、本発明の第二実施形態に係る水洗大便器装置について説明する。第二実施形態に係る水洗大便器装置は、進行方向切替手段と、スロート管の吸引口との位置関係などが第一実施形態と異なる。その他の第二実施形態に係る水洗大便器装置の構成については、第一実施形態と同様である。
【００９８】
図１０は、第二実施形態のタンク給水時における、タンク２０の水位が止水位４０４を超えた時のタンク２０内の様子を模式的に示す図である。図１０に示すように、第二実施形態では、進行方向切替手段３５０Ａは、タンク貯水時に、スロート管３２０Ａの吸引口３２１に、タンク２０内の水を流入するタンク水流入空間を設けるように配置される。
【００９９】
このタンク水流入空間が設けられることにより、タンク貯水時にオーバーフローした場合、オーバーフロー管３２０Ａから流入したオーバーフロー水を大便器本体１０に排出するのに加えて、タンク水流入空間からスロート管３２０Ａ内に流入したオーバーフロー水を大便器本体１０に排出することができる。よって、オーバーフロー時に、オーバーフロー水をより多く大便器本体１０に排出することができるため、漏水することをより確実に防止することができる。
【０１００】
図１１は、第二実施形態における、便器給水時の動作が開始されてからの時間経過に伴うタンク２０内の水位の変化を示すグラフである。図１１に示すオーバーフロー水位４０６となるＸ点までは、図９に示す水位の変化と同様である。
【０１０１】
図１１に示すＸ点において、オーバーフロー管２５０から流入した水が、導水路１３０を通ってボウル部１１０に排出される。次に、図１１に示すＹ点において、上述したタンク水流入空間から流入した水が、スロート管３２０Ａ内部及び導水路１３０を通ってボウル部１１０に排出される。
【０１０２】
ここで、異常時に、スロート管３２０Ａ及びオーバーフロー管２５０からタンク２０内の水を大便器本体１０に排出しても、タンク２０内の水が上昇する場合がある。この場合に備えて、スロート管３２０Ａは、例えば図１１に示すＺ点において、サイホン現象が発生するような構成を有することで、タンク２０内の水を大幅に減少させてもよい。
【０１０３】
図１２は、サイホン現象によりタンク２０内の水が大量に大便器本体１０に排出されることを説明するための図である。図１２に示すように、スロート管３２０Ａは、タンク貯水時に、タンク２０内の水が止水位４０４を超えて異常水位（例えば図１１に示すＺ点の水位）となると、サイホン現象が発生するような形状に構成される。
【０１０４】
図１２では、スロート管３２０Ａ内で、サイホン現象が発生し、タンク２０内の水位４００が減少している状態を示す。異常水位となっている時に、サイホン現象を発生させることで、タンク２０内の水位を第一水位４０２まで減少させることが可能になる。
【０１０５】
ここで、仮に、止水機構が故障した場合にサイホンを発生させずにタンク２０内の水位４００を低下させようとすると、スロート管３２０Ａ及び／又はオーバーフロー管２５０の内部から排出する水量を多くする必要があり、水量を多くするためにはスロート管３２０Ａ及び／又はオーバーフロー管２５０の径を大きくしなければならない。しかし、スロート管３２０Ａの径を大きくすると便器給水時にスロート管３２０Ａを通過する水の流速が低下し、ジェットポンプ性能が低下することになる。
【０１０６】
一方、第二実施形態によれば、止水位４０４を超えるとサイホン現象が発生するため、スロート管３２０Ａ及び／又はオーバーフロー管２５０の径を大きくすることなく、図１２に示すように、オーバーフロー水の流量を増加させることができる。この結果、タンク２０内の水位４００をより確実に減少させることができ、タンク２０内の水位４００が上昇し続けて、漏水することがない。
【０１０７】
以上、第二実施形態によれば、タンク貯水時に止水機構が故障した場合であっても、タンク２０内の水がスロート管３２０Ａ内に流入するようにタンク水流入空間をスロート管３２０Ａの吸引口３２１に設けることにより、オーバーフロー管２５０だけでなくスロート管３２０Ａからもタンク２０内の水を排出することができる。これにより、オーバーフロー管２５０からタンク２０内の水を排出することに加え、スロート管３２０Ａからもタンク２０内の水を排出することができ、タンク２０内の水位が上昇し続けて、タンク２０外に水が溢れることを防止することができる。さらに、スロート管３２０Ａからもタンク２０内の水を排出するようにすることで、オーバーフロー管２５０の径を小さくすることができ、タンクを小型化することができる。
【０１０８】
また、第二実施形態において、異常水位になるとサイホン現象が発生するようなスロート管３２０Ａの形状に構成することにより、オーバーフロー時にサイホン現象によってタンク２０内の水をスロート管３２０Ａ内に吸い込み、スロート管３２０Ａから導水路１３０を通ってボウル部１１０に排出するタンク２０からの流量を増加させることができる。よって、タンク２０内の水位を減少させることができ、タンク２０内の水位が上昇し続けて漏水することをより確実に防止することができる。
【０１０９】
さらに、サイホン現象を発生させることで、上述のとおり、オーバーフロー時に大便器本体１０に排出される水量を増加することができるため、オーバーフロー管２５０やスロート管３２０Ａの径を大きくして大便器本体１０に排出される水量を多くする必要がない。よって、オーバーフロー管２５０の径及びスロート管３２０Ａの径をさらに小さくすることができ、タンク２０のさらなる小型化を図ることができる。
【０１１０】
＜第三実施形態＞
次に、本発明の第三実施形態に係る水洗大便器装置について説明する。第三実施形態に係る水洗大便器装置は、オーバーフロー管とスロート管との接続位置が第一実施形態と異なる。その他の第三実施形態に係る水洗大便器装置の構成については、第一実施形態と同様である。
【０１１１】
図１３は、第三実施形態における、スロート管３２０Ｂ内の負圧部及び正圧部の位置、オーバーフロー管２５０Ａの接続位置を説明するための図である。図１３に示す例では、スロート管３２０Ｂの内部に、ジェット水の進行方向がスロート管３２０Ｂの内部に向かう便器給水時に、ジェット水の通過に伴い負圧となる負圧部５００及び正圧となる正圧部５０２が形成される。
【０１１２】
ここで、図１３に示すように、スロート管３２０Ｂの内部のうち、ジェット水の進行方向がスロート管３２０Ｂの内部に向かう便器給水時に、ジェット水がタンク２０内の水を引き込んで直進する直管部分と、ジェット水等が直進から曲がる際の内側部分とが、負圧が生じている部分（負圧部）５００となる。また、スロート管３２０Ｂの内部のうち、負圧部５００以外の部分が正圧部５０２となる。このように、第三実施形態において、例えば図１３に示すように、スロート管３２０Ｂは、負圧部５００と正圧部５０２とが形成されるように構成されている。また、図１３において、オーバーフロー管２５０Ａは、正圧部５０２に接続される。
【０１１３】
ここで、便器給水時には、スロート管３２０Ｂの中を流速の速いジェット水が通過するため、スロート管３２０Ｂ内で負圧が発生する。スロート管３２０Ｂ内に発生している負圧の部分５００に、仮にオーバーフロー管２５０Ａを接続すると、オーバーフロー管２５０Ａの開口付近にある空気が、負圧によりスロート管３２０Ｂ内に吸い込まれてしまう。便器給水時に、このスロート管３２０Ｂ内に吸い込まれた空気は、ジェット水とともに大便器本体１０に供給されることになるが、スロート管３２０Ｂに吸い込まれた空気の分だけ、大便器本体１０に供給される水量が減ってしまい、ジェットポンプ性能が低下してしまう。
【０１１４】
そこで、第三実施形態の水洗大便器装置によれば、便器給水時において、スロート管３２０Ｂ内に負圧の部分５００だけでなく正圧の部分（正圧部）５０２が発生するようにスロート管３２０Ｂが構成される。また、オーバーフロー管２５０Ａは、この正圧の部分５０２に接続される。第三実施形態のこのような構成により、便器給水時において、オーバーフロー管２５０Ａから空気が吸い込まれることを防ぎ、ジェットポンプ性能を低下させることを防止することができる。
【０１１５】
＜第四実施形態＞
次に、本発明の第四実施形態に係る水洗大便器装置について説明する。第四実施形態に係る水洗大便器装置は、オーバーフロー管とスロート管との接続箇所に、流入防止弁を設けることが第一実施形態と異なる。その他の第四実施形態に係る水洗大便器装置の構成については、第一実施形態と同様である。
【０１１６】
図１４は、第四実施形態における流入防止弁の一例を示す図である。図１４に示す流入防止弁２５２は、ジェット水の進行方向がスロート管３２０Ｃの内部に向かう便器給水時に、スロート管３２０Ｃの内部の水がオーバーフロー管２５０Ｂへの流入を防止するための弁である。図１４に示すように、流入防止弁２５２は、スロート管３２０Ｃと、オーバーフロー管２５０Ｂとの接続箇所に設けられる。流入防止弁２５２は、スロート管３２０Ｃからオーバーフロー管２５０Ｂへ水を流入させることはできないが、オーバーフロー管２５０Ｂからスロート管３２０Ｃへ水を流入させることができる機能を有する。
【０１１７】
このように、第四実施形態では、便器給水時において、オーバーフロー管２５０Ｂにスロート管３２０Ｃの水が流入しないよう流入防止弁２５２を設けることにより、大便器本体１０に供給される水がオーバーフロー管２５０Ｂに流入することがなく、大便器本体１０に供給される水量が減少しない。よって、便器給水時にスロート管３２０Ｃから導水管１３０を通ってボウル部１１０に供給される水の瞬間流量を低下させることがないので、ジェットポンプ性能を低下させることがない。
【０１１８】
仮に、止水位置よりも上方に設けられているオーバーフロー管２５０Ｂの開口から水が溢れだすと、この開口はタンク２０内の水面から距離が離れているため、この開口から溢れた水がタンク２０内の水面に着水することで水面が乱れてしまう。タンク２０内の水位の変動に応じてジェット水の進行方向が切り替えられる場合は、この水面の乱れにより、進行方向切替手段３５０の切替が安定しなくなり、誤切替が生じてしまう可能性がある。
【０１１９】
そこで、第四実施形態における水洗大便器装置によれば、便器給水時において、オーバーフロー管２５０Ｂにスロート管３２０Ｃの水が流入しないよう流入防止弁２５２を設けることにより、オーバーフロー管２５０Ｂの開口から水が溢れて水面を乱すことがないので、水位に連動してジェット水の進行方向を切り替える進行方向切替手段３５０の誤切替を防止することができる。
【０１２０】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【符号の説明】
【０１２１】
１０：大便器本体
１０１：上面
１１０：ボウル部
１２０：リム部
１３０：導水路
１３１：入口
１３２：第一導水路
１３３：吐水部
１３４：第二導水路
１３５：吐水部
１４０：排水トラップ管路
１４１：上昇流路
１４２：下降流路
２０：タンク
２０１：上蓋
２１０：第一タンク部
２１１：底壁
２１２：開口
２１３：前側壁面
２１４：左側壁面
２２０：第二タンク部
２２１：底壁
２３１：給水管
２３２：定流量弁
２３３：主弁
２３４：パイロット弁
２３５：バキュームブレーカー
２３６：操作レバー
２３７：伝達機構
２３８：フロート
２３９：接続管
２４０：隔壁
２４１：開閉窓
２５０：オーバーフロー管
２６０：小タンク
３００：ジェットポンプユニット
３１０：ノズル
３１１：噴射口
３２０：スロート管
３２１：吸引口
３２２：上昇部
３２３：屈曲部
３２４：下降部
３５０：進行方向切替手段
３５１：フロート
３５２：遮蔽部
ＦＴ：水洗大便器装置
ＳＷ：排水管
ＷＴ：封水
【図１】
2015232271.tif 000003
【図２】
2015232271.tif 000004
【図３】
2015232271.tif 000005
【図４】
2015232271.tif 000006
【図５】
2015232271.tif 000007
【図６】
2015232271.tif 000008
【図７】
2015232271.tif 000009
【図８】
2015232271.tif 000010
【図９】
2015232271.tif 000011
【図１０】
2015232271.tif 000012
【図１１】
2015232271.tif 000013
【図１２】
2015232271.tif 000014
【図１３】
2015232271.tif 000015
【図１４】
2015232271.tif 000016